(57)【要約】【課題】光信号を伝達する光学部品と光学デバイスの光軸の精度向上を図り、高光軸精度である光コネクタを提供する。【解決手段】相手側の光コネクタが嵌合され、相手側光コネクタと光学デバイスの間で光信号を伝達する光学部品３が設けられたハウジング２と、ハウジング２に固定され、光学部品３に対向する位置に前記光学デバイスが設けられた光パッケージ４とを備え、ハウジング２の凸部２４ａ，２４ｂが光パッケージ４の位置決め孔４４ａ，４４ｂに嵌合し、ハウジング２と光パッケージ４間が位置決めされると共に、光パッケージ４の位置決め孔４４ａ，４４ｂを基準として前記光学デバイスの搭載位置が設定される。【選択図】図３
2014170088.tif 000002
【特許請求の範囲】
【請求項１】
相手側の光コネクタが嵌合され、前記相手側光コネクタと光学デバイスの間で光信号を伝達する光学部品が設けられたハウジングと、前記ハウジングに固定され、前記光学部品に対向する位置に前記光学デバイスが設けられた光パッケージとを備え、
前記ハウジングのハウジング側位置決め部と前記光パッケージの光パッケージ側位置決め部が組み付けられ、前記ハウジングと前記光パッケージ間が位置決めされる光コネクタであって、
前記光パッケージ側位置決め部を基準として前記光学デバイスの搭載位置が設定されたことを特徴とする光コネクタ。
【請求項２】
請求項１記載の光コネクタであって、
前記光パッケージ側位置決め部は、金属フレームに設けられたことを特徴とする光コネクタ。
【請求項３】
請求項１または請求項２に記載の光コネクタであって、
前記ハウジング側位置決め部は、前記相手側光コネクタが嵌合される方向に延びる一対の凸部からなり、前記光パッケージ側位置決め部は、前記一対の凸部がそれぞれ嵌合される一対の位置決め孔からなることを特徴とする光コネクタ。
【発明の詳細な説明】
【技術分野】
【０００１】
本発明は、レセプタクルタイプの光コネクタに関する。
【背景技術】
【０００２】
この種の従来の光コネクタとして、特許文献１に開示されたものがある。この光コネクタ１００は、レセプタクルタイプのものであって、図５及び図６に示すように、プラグインタイプの相手側光コネクタ１０１が嵌合され、前記相手側光コネクタ１０１の光ファイバ（図示せず）と光学デバイス１０２ａ，１０２ｂの間で光信号を伝達する左右一対のレンズ体１０３ａ，１０３ｂが設けられたハウジング１０４と、前記ハウジング１０４に固定され、前記レンズ体１０３ａ，１０３ｂに対向する位置に前記光学デバイス１０２ａ，１０２ｂが設けられた光学デバイス搭載基板１０５と、この光学デバイス搭載基板１０５を覆うように設けられるキャップ１０６とを備えている。
【０００３】
前記ハウジング１０４の内部には、前方（図６の右側）に向かって開口し、相手側光コネクタ１０１を受け入れるコネクタ嵌合部１０７が形成されている。ハウジング１０４の後壁部１０８には、左右一対のレンズ体１０３ａ，１０３ｂ間に板状の突設部１０９がキャップ１０６に向かって突設されている。この突設部１０９には、相手側光コネクタ１０１が嵌合される方向にそれぞれ延びる上下一対のハウジング側位置決め部である凸部１１０ａ，１１０ｂが設けられている。前記光学デバイス搭載基板１０５には、光学デバイス１０２ａ，１０２ｂが搭載され、凸部１１０ａ，１１０ｂがそれぞれ嵌合される上下一対の基板側位置決め部である位置決め孔１１１ａ，１１１ｂが設けられている。
【０００４】
上記構成では、ハウジング１０４側の凸部１１０ａ，１１０ｂを光学デバイス搭載基板１０５側の位置決め孔１１１ａ，１１１ｂにそれぞれ嵌合させることにより、ハウジング１０４と光学デバイス搭載基板１０５間を位置決めした状態で組み付けするので、光学デバイス１０２ａ，１０２ｂとレンズ体１０３ａ，１０３ｂの各光軸Ｋを一致させることができる。
【先行技術文献】
【特許文献】
【０００５】
【特許文献１】特開２０１１−１０００３３号公報
【発明の概要】
【発明が解決しようとする課題】
【０００６】
しかしながら、前記従来の光コネクタ１００では、レンズ体１０３ａ，１０３ｂに対向する位置に設けられる光学デバイス１０２ａ，１０２ｂが光学デバイス搭載基板１０５にどのような位置基準で位置決めされているか分からない。例えば、任意の基準位置を決定し、この基準位置を基準として光学デバイス搭載基板１０５側の位置決め孔１１１ａ，１１１ｂの位置を決定すると共に、光学デバイス１０２ａ，１０２ｂの搭載位置を決定すると、位置決め孔１１１ａ，１１１ｂに対する光学デバイス１０２ａ，１０２ｂの位置精度が悪くなる可能性が高い。従って、従来例ではレンズ体１０３ａ，１０３ｂと光学デバイス１０２ａ，１０２ｂの光軸Ｋを高精度に一致させることができないという問題がある。
【０００７】
そこで、本発明は、前記した課題を解決すべくなされたものであり、光信号を伝達する光学部品と光学デバイスの光軸の精度向上を図り、高光軸精度である光コネクタを提供することを目的とする。
【課題を解決するための手段】
【０００８】
本発明は、相手側の光コネクタが嵌合され、前記相手側光コネクタと光学デバイスの間で光信号を伝達する光学部品が設けられたハウジングと、前記ハウジングに固定され、前記光学部品に対向する位置に前記光学デバイスが設けられた光パッケージとを備え、前記ハウジングのハウジング側位置決め部と前記光パッケージの光パッケージ側位置決め部が組み付けられ、前記ハウジングと前記光パッケージ間が位置決めされる光コネクタであって、前記光パッケージ側位置決め部を基準として前記光学デバイスの搭載位置が設定されたことを特徴とする。
【０００９】
前記光パッケージ側位置決め部は、金属フレームに設けられたことが好ましい。
【００１０】
前記ハウジング側位置決め部は、前記相手側光コネクタが嵌合される方向に延びる一対の凸部からなり、前記光パッケージ側位置決め部は、前記一対の凸部がそれぞれ嵌合される一対の位置決め孔からなることが好ましい。
【発明の効果】
【００１１】
本発明によれば、光学部品が設けられたハウジングに光パッケージを組み付ける際、ハウジング側位置決め部と光パッケージ側位置決め部を嵌合させることにより、ハウジングと光パッケージ間を位置決めすると共に、前記光パッケージ側位置決め部を基準として光学デバイスの搭載位置を設定するので、光学部品及び光学デバイスの組み付け時の公差を十分に小さくすることができ、光学部品及び光学デバイスの光軸の精度向上を図ることができる。
【図面の簡単な説明】
【００１２】
【図１】本発明の一実施形態を示し、光コネクタ（シールドケースを除く）を後方から見た組立斜視図である。
【図２】本発明の一実施形態を示し、光コネクタを後方から見た分解斜視図である。
【図３】本発明の一実施形態を示し、ハウジング及び光パッケージを後方から見た斜視図である。
【図４】本発明の一実施形態を示し、（ａ）は図３の矢印Ａで示す方向から見た光パッケージの正面図、（ｂ）はハウジングの凸部とフレームの位置決め孔との嵌合部分の断面図である。
【図５】一従来例を示し、光コネクタを後方から見た分解斜視図である。
【図６】一従来例を示し、光コネクタの断面図である。
【発明を実施するための形態】
【００１３】
以下、本発明の実施形態を図面に基づいて説明する。
【００１４】
図１〜図４は本発明の一実施形態を示す。図１〜図４に示す本実施形態の光コネクタ１は、レセプタクルタイプのものであって、プラグインタイプの相手側光コネクタ（図示せず）が連結される樹脂製のハウジング２と、このハウジング２に装着され、左右一対のレンズ体３１ａ，３１ｂを有する光学部品３と、ハウジング２に固定される光パッケージ４（光学デバイス搭載基板）と、この光パッケージ４を覆うように設けられるシールドカバー５とを備えている。
【００１５】
ハウジング２には、前方に開口し、プラグインタイプの相手側光コネクタが嵌合するコネクタ嵌合部（図示せず）と、後方に開口し、光学部品３が嵌合するレンズ嵌合部２１とが設けられている。
【００１６】
レンズ嵌合部２１の後壁面２１ａには、レンズ体３１ａ，３１ｂ間に介設され、光パッケージ４側に突設される板状の突設部２３が突設されている。この突設部２３には、相手側光コネクタが嵌合する方向にそれぞれ延びる上下一対のハウジング側位置決め部である凸部２４ａ，２４ｂが設けられ、この一対の凸部２４ａ，２４ｂを基準としてレンズ体３１ａ，３１ｂの搭載位置が設定されている。各凸部２４ａ，２４ｂに設けられたリブ形状は、先端に向かうに従って次第に径が小さくなるテーパ状である。
【００１７】
光学部品３のレンズ体３１ａ，３１ｂは、前記相手側光コネクタで保持される一対の光ファイバ（図示せず）と後述する光学デバイス４２ａ，４２ｂの間で光信号を伝達する。レンズ体３１ａ，３１ｂ間には、ハウジング２の突設部２３を受け入れるスリット３２が設けられている。
【００１８】
光パッケージ４には、フレーム４１と、このフレーム４１に搭載され、レンズ体３１ａ，３１ｂに対向する位置に配置される左右一対の光学デバイス４２ａ，４２ｂとが設けられている。前記相手側光コネクタを前方よりハウジング２のコネクタ嵌合部に差し込んで嵌合すると、相手側光コネクタの一対のフェルール（図示せず）がレンズ体３１ａ，３１ｂの光軸上に位置決め接続される。レンズ体３１ａ，３１ｂと光学デバイス４２ａ，４２ｂは、その各一方が発光側であり、各他方が受光側である。
【００１９】
フレーム４１は、金属フレーム４３と、複数のバスバー４３ａと、金属フレーム４３及び複数のバスバー４３ａの一部外周を被うように配置された樹脂層４５とを有する。樹脂層４５は、金属フレーム４３と複数のバスバー４３ａの一体品をインサート部品としてインサート成形によって形成される。
【００２０】
金属フレーム４３には、凸部２４ａ，２４ｂがそれぞれ嵌合される上下一対の光パッケージ側位置決め部である位置決め孔４４ａ，４４ｂが設けられている。この一対の位置決め孔４４ａ，４４ｂを基準として光学デバイス４２ａ，４２ｂの搭載位置が設定される。光学デバイス４２ａ，４２ｂは、バスバー４３ａ上に搭載されている。これにより、光学デバイス４２ａ，４２ｂは、一対の位置決め孔４４ａ，４４ｂに対して高精度の位置で搭載される。
【００２１】
樹脂層４５は、金属フレーム４３の両面を被っている。樹脂層４５の位置決め孔４４ａ，４４ｂに対応する位置には、位置決め孔４４ａ，４４ｂを完全に露出させるような溝４６ａ，４７ｂが形成されている。一対の凸部２４ａ，２４ｂは、金属フレーム４３の一対の位置決め孔４４ａ，４４ｂに強嵌合されている。一対の凸部２４ａ，２４ｂは、樹脂層４５の溝４６ａ，４７ａに強嵌合されていない。
【００２２】
上記構成では、ハウジング２に光学部品３を組み付ける際、光学部品３のスリット３２にハウジング２の突設部２３を挿入しながら、レンズ体３１ａ，３１ｂをレンズ嵌合部２１に形成された圧入孔２１ｂ（図２参照）に圧入させ、レンズ嵌合部２１に光学部品３を嵌合させる。
【００２３】
次いで、光パッケージ４をハウジング２に組み付ける際、光学デバイス４２ａ，４２ｂがそれぞれレンズ体３１ａ，３１ｂに対向するように金属フレーム４３を配置し、ハウジング２の一方の凸部２４ａを光パッケージ４の溝４６ａ、位置決め孔４４ａ及び溝４７ａに挿入すると共に、ハウジング２の他方の凸部２４ｂを光パッケージ４の溝４６ｂ、位置決め孔４４ｂ及び溝４７ｂに挿入し、光パッケージ４の後面がハウジング２に組み付けられた光学部品３に当接するまで光パッケージ４を押し込み、凸部２４ａ，２４ｂを位置決め孔４４ａ，４４ｂに強嵌合する。これにより、ハウジング２と光パッケージ４間を位置決めすると共に、位置決め孔４４ａ，４４ｂを基準として光学デバイス４２ａ，４２ｂの搭載位置を設定する。
【００２４】
ハウジング２に光学部品３及び光パッケージ４を組み付けた後、シールドカバー５を装着する。
【００２５】
以上説明したように、光学部品３が設けられたハウジング２に光パッケージ４を組み付ける際、ハウジング２の凸部２４ａ，２４ｂを光パッケージ４の位置決め孔４４ａ，４４ｂに嵌合させることにより、ハウジング２と光パッケージ４間を位置決めすると共に、位置決め孔４４ａ，４４ｂを基準として光学デバイス４２ａ，４２ｂの搭載位置を設定するので、光学部品３及び光学デバイス４２ａ，４２ｂの組み付け時の公差を十分に小さくすることができ、光学部品３のレンズ体３１ａ，３１ｂ及び光学デバイス４２ａ，４２ｂの光軸の精度向上を図ることができる。以上より、光コネクタ１は、高光軸精度のものとなる。
【００２６】
光パッケージ４にインサート成型された金属フレーム４３に位置決め孔４４ａ，４４ｂを設けたので、光パッケージ４の樹脂層４５に位置決め孔を設ける場合と比べて、位置決め孔４４ａ，４４ｂの成形時の寸法公差を抑えることができ、この点でもレンズ体３１ａ，３１ｂ及び光学デバイス４２ａ，４２ｂの光軸の精度を向上させることができる。例えば、光パッケージ４の樹脂層４５に位置決め孔を設ける場合、位置決め孔の成形時の公差は±数十μｍであるのに対して、金属フレーム４３に位置決め孔４４ａ，４４ｂを設ける場合には、位置決め孔４４ａ，４４ｂの成形時の公差は±数μｍである。
【００２７】
ハウジング２側の位置決め部として、相手側光コネクタが嵌合される方向に延びる上下一対の凸部２４ａ，２４ｂを設け、光パッケージ４側の位置決め部として、前記凸部２４ａ，２４ｂがそれぞれ嵌合される上下一対の位置決め孔４４ａ，４４ｂを設けたので、ハウジング２に光パッケージ４を組み付けたとき、ハウジング２と光パッケージ４間の位置決めを２箇所で確実に行なうことができ、この点でもレンズ体３１ａ，３１ｂ及び光学デバイス４２ａ，４２ｂの光軸の精度を向上できる。
【００２８】
光パッケージ４の後面がハウジング２に組み付けられた光学部品３に当接するまで光パッケージ４を押し込むことにより、ハウジング２の突設部２３が光学デバイス４２ａ，４２ｂ間の漏れた光を突設部２３で遮ることにより、互いに干渉しないように光学デバイス４２ａ，４２ｂ間のクロストークを抑制できる。
【符号の説明】
【００２９】
１  光コネクタ
２  ハウジング
３  光学部品
４  光パッケージ
２４ａ，２４ｂ  凸部（ハウジング側位置決め部）
３１ａ，３１ｂ  レンズ体
４２ａ，４２ｂ  光学デバイス
４３  金属フレーム
４４ａ，４４ｂ  位置決め孔（光パッケージ側位置決め部）
【図１】
2014170088.tif 000003
【図２】
2014170088.tif 000004
【図３】
2014170088.tif 000005
【図４】
2014170088.tif 000006
【図５】
2014170088.tif 000007
【図６】
2014170088.tif 000008